(57)【要約】 【課題】  汎用性を向上することができ、かつ簡単な構成で表示面に表示される所定の表示情報の視認が可能な角度範囲を変更することができる表示装置を提供する。【解決手段】  液晶表示部５の表示面１３には、ホログラフィックシート７が設けられる。外部光源８は、ホログラフィックシート７に関して液晶表示部５の表示面１３とは反対側に設けられ、ホログラフィックシート７から離間して、ホログラフィックシート７に照射光１４を照射する。外部光源８は、外部光源８による照射光１４が、ホログラフィックシート７の表示面１３に対する面とは反対側の面に所定の入射角で入射するように、設置される。ホログラフィックシート７は、液晶表示部５の表示面１３からの光を透過し、外部光源８からの照射光１４を、前記表示面１３の視野角の角度範囲の一部を含む所定の角度範囲で反射する。【選択図】      図２
2007171522.tif 000002
【特許請求の範囲】
【請求項１】
所定の表示情報を表示する表示面を有し、この表示面には予め定める視野角の角度範囲で前記所定の表示情報が表示される表示手段と、
前記表示手段の表示面に設けられ、表示面からの光を透過し、表示面に対向する面とは反対側の面に所定の入射角で入射する照射光を、表示面の視野角の角度範囲の一部を含む所定の角度範囲で反射する透過反射手段と、
前記透過反射手段に、前記照射光を照射する照射手段とを備えることを特徴とする表示装置。
【請求項２】
前記透過反射手段は、前記表示手段の表示面上の予め定める一部の領域に設けられることを特徴とする請求項１記載の表示装置。
【請求項３】
前記透過反射手段は、前記表示手段の表示面上の領域に全体にわたって設けられ、
前記照射手段は、前記透過反射手段のうち一部の領域に、前記照射光を照射することを特徴とする請求項１記載の表示装置。
【請求項４】
前記透過反射手段は、前記表示手段の表示面上の領域に全体にわたって設けられ、
前記照射手段は、前記透過反射手段の予め定める複数の領域に、前記照射光を選択的に照射することを特徴とする請求項１記載の表示装置。
【請求項５】
前記表示手段の表示面に表示される前記所定の表示情報に応じて、前記照射手段による前記照射光の照射／非照射を制御する制御手段をさらに備えることを特徴とする請求項１〜４のいずれか１つに記載の表示装置。
【発明の詳細な説明】
【技術分野】
【０００１】
本発明は、所定の表示情報を表示する表示面を有し、この表示面に表示される前記所定の表示情報の視認が可能な角度範囲を変更することができる表示装置に関する。
【背景技術】
【０００２】
第１の従来技術は、特許文献１に開示される。この従来技術は、ＰＯＳ（Point Of
Sales）端末装置であるＰＯＳターミナルなどの商品販売登録データ処理装置に用いられる。商品販売登録データ処理装置は、販売登録された商品の品名および価格などを、その商品を買い上げる客に対して表示する客面表示器を有する。客面表示器には、推奨商品および特売の案内などのコマーシャルメッセージも表示される。
【０００３】
前記客面表示器は、ＴＮ（Twisted Nematic）方式またはＳＴＮ（Super Twisted
Nematic）方式の液晶ディスプレイによって構成される。この従来技術で用いられる液晶ディスプレイは、画面のコントラストを変化させるための電圧の高低によって上下方向の視野角が決定される。コントラスト電圧が上昇すると、視野角の仰角が上がって上方向に向く。コントラスト電圧が低下すると、視野角の仰角が下がって下方向に向く。
【０００４】
客面表示器にコマーシャルメッセージを表示するときは、コントラスト電圧を、予め設定された電圧にして、客面表示器の視野角を第１の視野角とする。第１の視野角では、ＰＯＳターミナルで処理中の買物客だけでなく、この買物客の後方に並ぶ他の買物客も、客面表示器の表示内容を確認することができる。
【０００５】
客面表示器に客の個人的な情報を表示するときは、コントラスト電圧を、前記予め設定された電圧よりも高い電圧にして、客面表示器の視野角を、第１の視野角よりも上方向を向いた第２の視野角とする。第２の視野角では、ＰＯＳターミナルで処理中の買物客だけが、客面表示器の表示内容を確認することができる。
【０００６】
このように客面表示器の表示内容に応じて客面表示器の視野角を変更することによって、客のプライバシーの保護を図りつつ、客面表示器を広告媒体として有効に活用している。
【０００７】
第２の従来技術は、特許文献２に開示される。この従来技術では、表示用ＬＣＤ（
Liquid Crystal Display）の表面側に、視野角変更液晶板が設けられる。視野角変更液晶板は、２枚のガラス基板を有し、各ガラス基板の間には液晶が封入される。各ガラス基板の外面には、偏光板がそれぞれ設けられ、各ガラス基板の内面には、全体にわたって、透明な共通電極がそれぞれ設けられる。
【０００８】
各共通電極間に電圧を印加したオン状態では、視野角変更液晶板の液晶分子は、印加電圧に応じた角度に一斉に配向し、これによって視野角変更液晶板は、この視野角変更液晶板を透過して表示用ＬＣＤを視認した場合の視野角を制限する。これに対して、各共通電極間に電圧を印加していないオフ状態では、視野角変更液晶板の液晶分子は、ばらばらな方向に配向しており、このとき視野角変更液晶板は、この視野角変更液晶板を透過して表示用ＬＣＤを視認した場合の視野角を制限しない。このような従来技術では、各共通電極間に印加する電圧を変化させることによって、視野角変更液晶板を透過して表示用ＬＣＤを視認した場合の視野角を変更することができる。
【０００９】
【特許文献１】特開２００１−２３０４２号公報
【特許文献２】特開２００４−６２０９４号公報
【発明の開示】
【発明が解決しようとする課題】
【００１０】
前記第１の従来技術は、ＴＮ（Twisted Nematic）方式またはＳＴＮ（S uper Twisted
Nematic）方式の液晶ディスプレイのように、コントラスト電圧の高低によって上下方向の視野角が決定される表示手段が用いられる場合だけ、実現可能である。その他の表示手段が用いられる場合は、この従来技術を実現することはできない。このような従来技術は、汎用性が低いという問題がある。
【００１１】
前記第２の従来技術は、前述のような複雑な構成の視野角変更液晶板が必要である。このような従来技術は、装置の構成が複雑になるという問題がある。
【００１２】
本発明の目的は、汎用性を向上することができ、かつ簡単な構成で表示面に表示される所定の表示情報の視認が可能な角度範囲を変更することができる表示装置を提供することである。
【課題を解決するための手段】
【００１３】
本発明は、所定の表示情報を表示する表示面を有し、この表示面には予め定める視野角の角度範囲で前記所定の表示情報が表示される表示手段と、
前記表示手段の表示面に設けられ、表示面からの光を透過し、表示面に対向する面とは反対側の面に所定の入射角で入射する照射光を、表示面の視野角の角度範囲の一部を含む所定の角度範囲で反射する透過反射手段と、
前記透過反射手段に、前記照射光を照射する照射手段とを備えることを特徴とする表示装置である。
【００１４】
また本発明は、前記透過反射手段は、前記表示手段の表示面上の予め定める一部の領域に設けられることを特徴とする。
【００１５】
また本発明は、前記透過反射手段は、前記表示手段の表示面上の領域に全体にわたって設けられ、
前記照射手段は、前記透過反射手段のうち一部の領域に、前記照射光を照射することを特徴とする。
【００１６】
また本発明は、前記透過反射手段は、前記表示手段の表示面上の領域に全体にわたって設けられ、
前記照射手段は、前記透過反射手段の予め定める複数の領域に、前記照射光を選択的に照射することを特徴とする。
【００１７】
また本発明は、前記表示手段の表示面に表示される前記所定の表示情報に応じて、前記照射手段による前記照射光の照射／非照射を制御する制御手段をさらに備えることを特徴とする。
【発明の効果】
【００１８】
本発明によれば、表示手段は、所定の表示情報を表示する表示面を有し、この表示面には、予め定める視野角の角度範囲で前記所定の表示情報が表示される。表示手段の表示面には、透過反射手段が設けられる。透過反射手段に関して表示面とは反対側には、照射手段が設けられる。
【００１９】
照射手段は、透過反射手段の、表示手段の表示面に対向する面とは反対側の面に所定の入射角で照射光が入射するように、透過反射手段に照射光を照射する。透過反射手段は、表示面からの光を透過し、照射手段からの照射光を、表示面の視野角の角度範囲の一部を含む所定の角度範囲で反射する。
【００２０】
透過反射手段は、表示面からの光を透過するので、表示面に表示される前記所定の表示情報は、透過反射手段を介して、表示面の視野角の角度範囲と同一の角度範囲で表示される。照射手段による照射光が透過反射手段に照射されていない状態では、表示面の視野角の角度範囲で、表示面に表示される前記所定の表示情報の視認が可能である。
【００２１】
照射手段による照射光が透過反射手段に照射されている状態では、透過反射手段が、照射手段からの照射光を、表示面の視野角の角度範囲の一部を含む所定の角度範囲で反射する。したがって表示面の視野角の角度範囲の前記一部では、表示面からの光のうち透過反射手段を透過した透過光に、照射手段からの照射光のうち透過反射手段で反射した反射光が重畳されるので、表示面に表示される前記所定の表示情報の視認が不可能となる。表示面の視野角の角度範囲のうち前記一部を除く残余の部分では、表示面に表示される前記所定の表示情報の視認が可能である。
【００２２】
このような本発明では、照射手段による照射光の照射／非照射によって、表示面に表示される前記所定の表示情報の視認が可能な角度範囲を変更することができる。このように視認が可能な角度範囲を変更するにあたって、前記第１の従来技術のように表示手段に対する制約がなく、したがって汎用性を向上することができる。また前記第２の従来技術のように構成が複雑な視野角変更液晶板が不要であり、したがって装置の構成を簡単化することができる。
【００２３】
また本発明によれば、透過反射手段は、表示手段の表示面上の予め定める一部の領域に設けられるので、前記予め定める一部の領域についてだけ、視認が可能な角度範囲を変更することができる。
【００２４】
また本発明によれば、透過反射手段は、表示手段の表示面上の領域に全体にわたって設けられ、照射手段は、透過反射手段のうち一部の領域に、前記照射光を照射する。したがって前記一部の領域についてだけ、視認が可能な角度範囲を変更することができる。また照射手段による照射光の照射領域を変えることによって、視認が可能な角度範囲が変更される領域を変えることができる。
【００２５】
また本発明によれば、透過反射手段は、表示手段の表示面上の領域に全体にわたって設けられ、照射手段は、透過反射手段の予め定める複数の領域に、前記照射光を選択的に照射する。したがって各領域について選択的に、視認が可能な角度範囲を変更することができる。
【００２６】
また本発明によれば、制御手段は、表示手段の表示面に表示される前記所定の表示情報に応じて、照射手段による前記照射光の照射／非照射を制御する。したがって表示手段の表示面に表示される前記所定の表示情報に応じて、視認が可能な角度範囲を変更することができる。
【発明を実施するための最良の形態】
【００２７】
図１は、本発明の実施の一形態である表示装置１を備えるＰＯＳ端末装置２の構成を示すブロック図である。ＰＯＳ端末装置２は、ＰＯＳ（Point Of Sales）システムにおける端末装置として、たとえば小売店の店頭に設置されて用いられる。ＰＯＳシステムは、販売時点情報管理システムとも呼ばれる。ＰＯＳ端末装置２は、コンピュータと連動するように構成される。本実施の形態では、ＰＯＳ端末装置２は、会員カードを用いて、顧客毎に獲得ポイント数を管理するなどの顧客管理を実現する。ＰＯＳ端末装置２は、ＰＯＳ本体３と、カードリーダ装置４と、表示装置１とを含んで構成される。
【００２８】
ＰＯＳ本体３は、金額などを入力するための入力部と、オペレータ用の表示部と、商品取引に関する情報などを記憶するメモリ部と、コンピュータと通信するための通信部と、演算処理部とを含んで構成される。演算処理部は、中央演算処理装置（Central
Processing Unit、略称ＣＰＵ）によって実現され、前記入力部、表示部、メモリ部および通信部を制御する。
【００２９】
カードリーダ装置４は、会員カードに記憶される会員情報を読み出すとともに、会員カードに会員情報を書き込むための装置である。カードリーダ装置４は、ＰＯＳ本体３に接続される。
【００３０】
表示装置１は、顧客用の表示部である液晶表示部５と、液晶表示コントローラ部６と、ホログラフィックシート７と、外部光源８と、外部光源ＯＮ／ＯＦＦ回路部９と、バックライト部１０と、メモリ部１１と、演算処理部１２とを含む。演算処理部１２は、ＣＰＵによって実現され、前記液晶表示コントローラ部６、外部光源ＯＮ／ＯＦＦ回路部９、バックライト部１０およびメモリ部１１を制御する。
【００３１】
本実施の形態では、液晶表示部５と、液晶表示コントローラ部６と、バックライト部１０とを含んで、表示装置１の表示手段が構成される。ホログラフィックシート７によって、表示装置１の透過反射手段が構成される。外部光源８によって、表示装置１の照射手段が構成される。外部光源ＯＮ／ＯＦＦ回路部９と、演算処理部１２とを含んで、表示装置１の制御手段が構成される。
【００３２】
ＰＯＳ本体３の演算処理部と表示装置１の演算処理部１２とは、同一であってもよく、あるいは別であってもよい。本実施の形態では、ＰＯＳ本体３の演算処理部と表示装置１の演算処理部１２とは同一である。図１では、理解を容易にするため、演算処理部を、表示装置１の一部として示し、この演算処理部には、表示装置１の演算処理部と同一の符号を付している。
【００３３】
液晶表示部５は、所定の表示情報を表示する表示面１３を有する。表示面１３は、たとえば矩形である。バックライト部１０は、液晶表示部５の表示面１３とは反対側の面に臨んで設けられる。バックライト部１０からの光は、液晶表示部５を透過する。液晶表示コントローラ部６は、液晶表示部５の表示面１３に前記所定の表示情報を表示するための信号を、演算処理部１２から与えられ、この信号に基づいて、液晶表示部５を駆動する。これによって液晶表示部５は、バックライト部１０からの光の透過量が画素毎に制御され、液晶表示部５の表示面１３には、前記所定の表示情報が表示される。
【００３４】
液晶表示部５の表示面１３には、予め定める視野角の角度範囲で前記所定の表示情報が表示される。表示面の視野角の角度範囲は、表示面１３に表示される前記所定の情報の視認が可能な角度範囲である。
【００３５】
メモリ部１１は、予め定める制御プログラムおよび前記所定の表示情報を表示するためのプログラムならびに各種データなどを記憶する。演算処理部１２は、メモリ部１１に記憶されるプログラムおよびデータに従って動作する。
【００３６】
図２は、ホログラフィックシート７および外部光源８の配置を示す斜視図である。ホログラフィックシート７は、液晶表示部５の表示面１３に設けられる。本実施の形態では、ホログラフィックシート７は、液晶表示部５の表示面１３上の予め定める一部の領域１３ａに設けられる。図２において、前記予め定める一部の領域１３ａは、液晶表示部５の設置状態において、その表示面１３を正面から見たとき、表示面１３における右下の領域である。ホログラフィックシート７は、液晶表示部５の表示面１３に、接着剤によって接着されて固定される。
【００３７】
外部光源８は、照射光１４を発生する。照射光１４は、予め定める波長帯域の光であり、本実施の形態では、緑色の光である。外部光源８は、発光ダイオード装置によって実現される。外部光源８は、ホログラフィックシート７に関して液晶表示部５の表示面１３とは反対側に設けられる。外部光源８は、ホログラフィックシート７から離間して、ホログラフィックシート７に照射光１４を照射する。外部光源８は、外部光源８による照射光１４が、ホログラフィックシート７の、液晶表示部５の表示面１３に対向する面とは反対側の面に所定の入射角で入射するように、設置される。外部光源８からの照射光１４は、ホログラフィックシート７の前記反対側の面に、全体にわたって照射される。
【００３８】
外部光源ＯＮ／ＯＦＦ回路部９は、外部光源８のＯＮ／ＯＦＦを制御するための信号を、演算処理部１２から与えられ、この信号に基づいて、外部光源８のＯＮ／ＯＦＦを制御する。これによって、外部光源８がホログラフィックシート７に照射光１４を照射している照射状態と、外部光源８がホログラフィックシート７に照射光１４を照射していない非照射状態とに、切換えることができる。
【００３９】
図３は、ホログラフィックシート７を説明するための側面図である。ホログラフィックシート７は、液晶表示部５の表示面１３からの光を透過し、液晶表示部５の表示面１３に対向する面とは反対側の面に所定の入射角で入射する照射光１４を、前記表示面１３の視野角の角度範囲の一部を含む所定の角度範囲で反射する。
【００４０】
詳細に述べると、光には、波長、振幅および位相の３つの要素がある。ホログラフィックシート７には、前記３つの要素が記録される。本実施の形態のホログラフィックシート７は、前記予め定める波長帯域の光が前述のように前記所定の入射角で入射するときだけ、前記所定の角度範囲で反射する。
【００４１】
ホログラフィックシート７は、液晶表示部５の表示面１３からの光を透過するので、表示面１３に表示される前記所定の表示情報は、ホログラフィックシート７を介して、表示面１３の視野角の角度範囲と同一の角度範囲で表示される。照射状態では、表示面１３の視野角の角度範囲で、表示面１３に表示される前記所定の表示情報の視認が可能である。
【００４２】
非照射状態では、ホログラフィックシート７が、外部光源８からの照射光１４を、表示面１３の視野角の角度範囲の一部を含む所定の角度範囲で反射する。したがって表示面１３の視野角の角度範囲の前記一部では、表示面１３からの光のうちホログラフィックシート７を透過した透過光１５に、外部光源８からの照射光１４のうちホログラフィックシート７で反射した反射光１６が重畳されるので、表示面１３に表示される前記所定の表示情報の視認が不可能となる。表示面１３の視野角の角度範囲のうち前記一部を除く残余の部分では、表示面１３に表示される前記所定の表示情報の視認が可能である。
【００４３】
本実施の形態では、表示面１３の視野角の角度範囲の前記一部は、表示面１３の視野角よりも小さい予め定める仮想視野角よりも大きく、かつ表示面１３の視野角以下となる角度範囲である。前記所定の表示情報は、非照射状態では、表示面１３の視野角の角度範囲で、視認が可能であり、照射状態では、表示面１３の視野角よりも小さい前記予め定める仮想視野角の角度範囲と同一の角度範囲で、視認が可能である。
【００４４】
図４は、表示例を示す斜視図である。液晶表示部５の表示面１３には、前記所定の表示情報として、個人に提供すべき個人情報と、不特定多数の人に提供すべき一般情報とが、表示される。個人情報は、個人名、獲得ポイント数、個人向けのメッセージ、および個人の嗜好に沿ったキャンペーンの案内などを含む。一般情報は、不特定多数の人に向けた広告などを含む。
【００４５】
液晶表示部５の表示面１３に一般情報だけが表示されるときは、非照射状態である。このとき、一般情報は、表示面１３の視野角の角度範囲と同一の角度範囲Ｗ１で視認が可能である。
【００４６】
液晶表示部５の表示面１３に一般情報および個人情報の両者が表示されるときは、照射状態である。個人情報は、液晶表示部５の表示面１３上の前記予め定める一部の領域１３ａに表示され、一般情報は、液晶表示部５の表示面１３上の前記予め定める一部の領域１３ａを除く残余の領域１３ｂに表示される。このとき、図４に示すように、個人情報は、表示面１３の視野角よりも小さい前記予め定める仮想視野角の角度範囲Ｗ２で視認が可能であり、一般情報は、表示面１３の視野角の角度範囲と同一の角度範囲Ｗ１で視認が可能である。
【００４７】
図５は、演算処理部１２の動作を説明するためのフローチャートである。電源が投入されると、演算処理部１２は、ステップａ１で、バックライト部１０に、点灯指令信号を与える。バックライト部１０は、点灯指令信号を演算処理部１２から与えられると、点灯する。このとき、外部光源８はオフの状態であり、したがって非照射状態である。
【００４８】
次に、ステップａ２で、演算処理部１２は、前記所定の表示情報として広告などの一般情報を表示するための信号を、液晶表示コントローラ部６に与え、液晶表示コントローラ部６は、その信号に基づいて、液晶表示部５を駆動する。これによって液晶表示部５の表示面１３には、広告などの一般情報が表示される。このとき、広告などの一般情報は、表示面１３の視野角の角度範囲と同一の角度範囲で視認が可能である。
【００４９】
次に、ステップａ３で、演算処理部１２は、カードリーダ装置４から会員カードの検出信号を与えられたか否かを判定する。前記検出信号を与えられるまで、ステップａ３の動作を繰り返し実行し、検出信号を与えられると、ステップａ４に進む。カードリーダ装置４は、会員カードから会員情報を読み出し、演算処理部１２は、ステップａ４で、カードリーダ装置４から前記会員情報を与えられる。
【００５０】
次に、ステップａ５で、演算処理部１２は、外部光源ＯＮ／ＯＦＦ回路部９に、オン指令信号を与え、外部光源ＯＮ／ＯＦＦ回路部９は、そのオン指令信号に応答して、外部光源８をオンする。これによって、非照射状態から照射状態に切換わる。
【００５１】
次に、ステップａ６で、演算処理部１２は、個人情報である会員情報を、液晶表示部５の表示面１３上の前記予め定める一部の領域１３ａに表示し、かつ一般情報を、表示部の表示面１３上の前記予め定める一部の領域１３ａを除く残余の領域１３ｂに表示するための信号を、液晶表示コントローラ部６に与え、液晶表示コントローラ部６は、その信号に基づいて、液晶表示部５を駆動する。これによって液晶表示部５の表示面１３には、前記予め定める一部の領域１３ａに会員情報が表示され、前記残余の領域１３ｂに広告などの一般情報が表示される。
【００５２】
このとき、前記予め定める一部の領域１３ａに表示される会員情報は、表示面１３の視野角よりも小さい前記予め定める仮想視野角の角度範囲で視認が可能であり、前記残余の領域１３ｂに表示される広告など一般情報は、表示面１３の視野角の角度範囲と同一の角度範囲で視認が可能である。
【００５３】
次に、演算処理部１２は、ステップａ７で、ＰＯＳ本体３の入力部から商品取引に関する情報が入力されると、ステップａ８で、その情報に基づいて、前記予め定める一部の領域１３ａに表示される会員情報を更新するように、液晶表示コントローラ部６を制御し、ステップａ９で、更新データを会員カードに書き込むように、カードリーダ装置４を制御する。
【００５４】
次に、演算処理部１２は、ステップａ１０で、演算処理部１２は、外部光源ＯＮ／ＯＦＦ回路部９に、オフ指令信号を与え、外部光源ＯＮ／ＯＦＦ回路部９は、そのオフ指令信号に応答して、外部光源８をオフする。これによって、照射状態から非照射状態に切換わる。この後、ステップａ２に戻る。
【００５５】
以上のような本実施の形態によれば、外部光源８による照射光の照射／非照射によって、表示面１３に表示される前記所定の表示情報の視認が可能な角度範囲を変更することができる。このように視認が可能な角度範囲を変更するにあたって、前記第１の従来技術のように表示手段に対する制約がなく、したがって汎用性を向上することができる。また前記第２の従来技術のように構成が複雑な視野角変更液晶板が不要であり、したがって装置の構成を簡単化することができる。
【００５６】
ホログラフィックシート７は、液晶表示部５の表示面１３上の予め定める一部の領域１３ａに設けられるので、前記予め定める一部の領域１３ａについてだけ、視認が可能な角度範囲を変更することができる。
【００５７】
演算処理部１２は、液晶表示部５の表示面１３に表示される前記所定の表示情報に応じて、外部光源８による前記照射光の照射／非照射を制御する。したがって液晶表示部５の表示面１３に表示される前記所定の表示情報に応じて、視認が可能な角度範囲を変更することができる。
【００５８】
個人情報は、液晶表示部５の表示面１３上の予め定める一部の領域１３ａに表示される。前記予め定める一部の領域１３ａに個人情報が表示されるときは、照射状態であり、個人情報は、表示面１３の視野角よりも小さい前記予め定める仮想視野角の角度範囲で視認が可能である。したがって液晶表示部５の表示面１３の正面にいる人は、個人情報を容易に視認することができるけれども、前記正面にいる人の後方および側方に並ぶ人は、個人情報の視認が困難あるいは不可能である。前記正面にいる人は、個人情報が提供されるべき人である。前記後方および側方に並ぶ人には、個人情報の視認が困難あるいは不可能であるので、前記正面にいる人に安心感を与えることができる。
【００５９】
個人情報が液晶表示部５の表示面１３上の予め定める一部の領域１３ａに表示されるときでも、液晶表示部５の表示面１３上の前記予め定める一部の領域１３ａを除く残余の領域１３ｂには、一般情報が表示される。このとき、一般情報は、表示面１３の視野角の角度範囲と同一の角度範囲で視認が可能であるので、前記後方および側方に並ぶ人も、一般情報を容易に視認することができ、液晶表示部５の表示面１３を有効に用いることができる。このような本実施の形態は、液晶表示部５が比較的大きな表示面１３を有する場合に、特に有効である。
【００６０】
図６は、本発明の実施の他の形態である表示装置２１を備えるＰＯＳ端末装置２２の構成を示すブロック図である。本実施の形態の表示装置２１は、図１〜図５に示す表示装置１に類似するので、対応する部分には同一の符号を付して説明を省略する。また本実施の形態のＰＯＳ端末装置２２は、図１〜図５に示すＰＯＳ端末装置２に類似するので、対応する部分には同一の符号を付して説明を省略する。
【００６１】
本実施の形態の表示装置２１は、光源パネル２３をさらに含む。また表示装置２１は、外部光源８を、１つではなく複数、含む。本実施の形態では、外部光源ＯＮ／ＯＦＦ回路部９は、各外部光源８のＯＮ／ＯＦＦをそれぞれ切換えるための信号を、演算処理部１２から与えられ、この信号に基づいて、各外部光源８のＯＮ／ＯＦＦをそれぞれ切換える。本実施の形態では、各外部光源８と光源パネル２３とを含んで、表示装置２１の照射手段が構成される。
【００６２】
図７は、光源パネル２３を簡略化して示す側面図である。図８は、光源パネル２３および外部光源８を簡略化して示す斜視図である。ホログラフィックシート７は、液晶表示部５の表示面１３上の領域に全体にわたって設けられる。ホログラフィックシート７の、前記表示面１３に対向する面とは反対側の面には、全体にわたって、光源パネル２３が設けられる。光源パネル２３は、ホログラフィックシート７の前記反対側の面に、接着剤によって接着されて固定される。
【００６３】
光源パネル２３は、複数の導光部２４によって構成される。各導光部２４は、同一方向に延びて、この方向に垂直な方向に並ぶ。本実施の形態では、各導光部２４は、液晶表示部５の設置状態において、その表示面１３を正面から見たとき、上下方向に延び、左右方向に並ぶ。
【００６４】
各外部光源８は、光源パネル２３の各導光部２４の延在方向一端面に臨んでそれぞれ設けられる。各導光部２４の延在方向一端面には、各外部光源８からの光が入射される。各導光部２４は、外部光源８からの光を、ホログラフィックシート７の前記反対側の面の予め定める複数の領域２５にそれぞれ導く。各領域２５は、各導光部２４にそれぞれ対向する。
【００６５】
各導光部２４によってホログラフィックシート７に導かれる光の一部は、ホログラフィックシート７の、前記反対側の面に所定の入射角で入射する。この光が照射光に相当する。ホログラフィックシート７は、この照射光を、表示面１３の視野角の角度範囲の一部を含む所定の角度範囲で反射する。各導光部２４によってホログラフィックシート７に導かれる光の残りは、ホログラフィックシート７で乱反射される。
【００６６】
図９は、表示例を示す正面図である。本実施の形態では、各領域２５について選択的に、視認が可能な角度範囲を変更することができる。演算処理部１２は、液晶表示部５の表示面１３に表示される前記所定の表示情報に応じて、外部光源ＯＮ／ＯＦＦ回路部９を制御する。詳しくは、演算処理部１２は、液晶表示部５の表示面１３において個人情報が表示される領域には外部光源８からの光が照射され、液晶表示部５の表示面１３において一般情報が表示される領域には外部光源８からの光が照射されないように、外部光源ＯＮ／ＯＦＦ回路部９を制御する。
【００６７】
液晶表示部５の表示面１３に一般情報だけが表示されるときは、全ての領域で非照射状態である。このとき、一般情報は、表示面１３の視野角の角度範囲と同一の角度範囲Ｗ１で視認が可能である。
【００６８】
液晶表示部５の表示面１３に一般情報および個人情報の両者が表示されるときは、個人情報が表示される領域で照射状態であり、一般情報が表示される領域で非照射状態である。このとき、図９に示すように、個人情報は、表示面１３の視野角よりも小さい前記予め定める仮想視野角の角度範囲Ｗ２で視認が可能であり、一般情報は、表示面１３の視野角の角度範囲と同一の角度範囲Ｗ１で視認が可能である。
【００６９】
以上のような本実施の形態によれば、前述の実施の形態と同様の効果を達成することができる。また前述のように照射状態となる領域を選択することができるので、液晶表示部５の個人情報が表示される領域の大きさおよび位置に対する制約が少なく、したがって汎用性を向上することができる。
【００７０】
前述の実施の各形態は、本発明の例示に過ぎず、本発明の範囲内において構成を変更することができる。たとえば、ホログラフィックシート７は、液晶表示部５の表示面１３上の領域に全体にわたって設けられ、外部光源８は、ホログラフィックシート７のうち一部の領域１３ａに、前記照射光１４を照射するように構成されてもよい。この場合でも、前記図１〜図５に示す実施の形態と同様の効果を達成することができる。さらに、この場合は、外部光源８による照射光の照射領域を変えることによって、視認が可能な角度範囲が変更される領域を変えることができる。
【００７１】
表示装置１，２１の表示手段は、陰極線管（Cathode Ray Tube、略称ＣＲＴ）ディスプレイ装置、あるいはプラズマディスプレイパネル（Plasma Display Panel、略称ＰＤＰ）装置によって実現されてもよい。
【００７２】
表示装置１，２１は、ＰＯＳ端末装置２，２２に限らず、不特定多数の人が往来するような公衆の場で用いられる装置、たとえば携帯電話装置、メール端末装置、ＫＩＯＳＫ端末装置、電子マネーのチャージ装置、レジスタ装置、携帯情報端末装置（ＰＤＡ）、ハンディターミナル装置などの表示装置として用いることができる。
【図面の簡単な説明】
【００７３】
【図１】本発明の実施の一形態である表示装置１を備えるＰＯＳ端末装置２の構成を示すブロック図である。
【図２】ホログラフィックシート７および外部光源８の配置を示す斜視図である。
【図３】ホログラフィックシート７を説明するための側面図である。
【図４】表示例を示す斜視図である。
【図５】演算処理部１２の動作を説明するためのフローチャートである。
【図６】本発明の実施の他の形態である表示装置２１を備えるＰＯＳ端末装置２２の構成を示すブロック図である。
【図７】光源パネル２３を簡略化して示す側面図である。
【図８】光源パネル２３および外部光源８を簡略化して示す斜視図である。
【図９】表示例を示す正面図である。
【符号の説明】
【００７４】
１，２１  表示装置
５  液晶表示部
６  液晶表示コントローラ部
７  ホログラフィックシート
８  外部光源
９  外部光源ＯＮ／ＯＦＦ回路部
１０  バックライト部
１１  メモリ部
１２  演算処理部
１３  表示面
２３  光源パネル
２４  導光部
【図１】
2007171522.tif 000003
【図２】
2007171522.tif 000004
【図３】
2007171522.tif 000005
【図４】
2007171522.tif 000006
【図５】
2007171522.tif 000007
【図６】
2007171522.tif 000008
【図７】
2007171522.tif 000009
【図８】
2007171522.tif 000010
【図９】
2007171522.tif 000011